(57)【要約】【課題】測定対象物の形状に応じた画像を作成可能とする。【解決手段】直線状に間隔ｄで並んだ複数の撮像素子Ｓｉを有し、倍率ｍであって、フレームレートがｆであるカメラにおける撮像素子Ｓｉの並び方向と垂直方向に、カメラに対して相対速度ｖで移動する測定対象物を撮像し、測定対象物の画像データを出力する。まず、測定対象物から放射される光を、複数の撮像素子Ｓｉの並び方向と平行であり間隔がｖ／ｆであるラインＬ１ｊごとに取得し、各ラインＬ１ｊにて取得した光を複数の撮像素子Ｓｉで受光して第１光量データＲ（ｉ，ｊ）を得る。次に、第１光量データＲ（ｉ，ｊ）から、複数の撮像素子の並び方向と平行であり間隔がｄ×ｍであるラインＬ２ｋごとに取得した場合に、各ラインＬ２ｋから取得した光を複数の撮像素子Ｓｉで受光した際に得られる第２光量データＰ（ｉ，ｋ）に変換する。第２光量データを画像データとして出力する。【選択図】図３
2016166760.tif 000002
【特許請求の範囲】
【請求項１】
直線状に間隔ｄで並んだ複数の撮像素子Ｓｉ（ｉ＝１，２，…ｎ）を有し、倍率ｍであって、フレームレートがｆであるカメラにおける前記複数の撮像素子Ｓｉの並び方向と垂直方向に、前記カメラに対して相対速度ｖで移動する測定対象物を撮像し、前記測定対象物の画像データを出力する光学測定方法であって、
前記測定対象物から放射される光を、前記複数の撮像素子Ｓｉの並び方向と平行であり間隔がｖ／ｆであるラインＬ１ｊ（ｊ＝１、２、３、…）ごとに取得し、各ラインＬ１ｊにて取得した光を前記複数の撮像素子Ｓｉで受光して第１光量データＲ（ｉ，ｊ）を得る第１ステップと、
前記第１光量データＲ（ｉ，ｊ）に基づいて、前記複数の撮像素子Ｓｉの並び方向と平行であり間隔がｄ×ｍであるラインＬ２ｋ（ｋ＝１、２、３、…）ごとに取得した場合に、各ラインＬ２ｋから取得した光を前記複数の撮像素子Ｓｉで受光した際に得られる第２光量データＰ（ｉ，ｋ）に変換する第２ステップと、
前記第２光量データを画像データとして出力する第３ステップと、
を備える光学測定方法。
【請求項２】
前記ｖ／ｆが前記ｄ×ｍよりも大きい場合に、
前記第２ステップにおいて、前記複数の撮像素子Ｓｉにより前記第１光量データが取得されていない無データ領域の光量データを補完するための補完データを、当該無データ領域の近隣であって、前記測定対象物の移動方向に沿って当該無データ領域の前後の領域で取得された前記第１光量データの一部から生成する請求項１に記載の光学測定方法。
【請求項３】
前記第２ステップにおいて、前記無データ領域の直前又は直後の領域で取得された前記第１光量データを前記補完データとする請求項２に記載の光学測定方法。
【請求項４】
前記第２ステップにおいて、前記補完データを、前記無データ領域の直前及び直後の領域で取得された前記第１光量データを平均化して生成する請求項２に記載の光学測定方法。
【請求項５】
前記第２ステップにおいて、前記補完データと、前記無データ領域の直前及び直後の領域で取得された前記第１光量データに対して所定の重み付け処理を行って生成する請求項２に記載の光学測定方法。
【請求項６】
前記ｖ／ｆが前記ｄ×ｍよりも小さい場合に、
前記第２ステップにおいて、複数の前記第１光量データから前記第２光量データを生成する請求項１に記載の光学測定方法。
【請求項７】
前記第２ステップにおいて、複数の前記第１光量データを平均化して前記第２光量データを生成する請求項６に記載の光学測定方法。
【請求項８】
前記第２ステップにおいて、複数の前記第１光量データに対して所定の重み付け処理を行って前記第２光量データを生成する請求項６に記載の光学測定方法。
【請求項９】
前記第２ステップにおいて、前記第２光量データの特定のデータの生成に用いる複数の前記第１光量データは、前記特定のデータにおいて光を受光する対象となる領域の少なくとも一部からの光を受光したデータである請求項６に記載の光学測定方法。
【請求項１０】
直線状に間隔ｄで並んだ複数の撮像素子Ｓｉ（ｉ＝１，２，…ｎ）を有し、倍率ｍであって、フレームレートがｆであるカメラにおける前記複数の撮像素子Ｓｉの並び方向と垂直方向に、前記カメラに対して相対速度ｖで移動する測定対象物を撮像する撮像手段と、
前記撮像手段により撮像することにより取得された光量データに基づいて画像データを形成して出力する画像形成手段と、
を備える光学測定装置であって、
前記撮像手段は、前記測定対象物から放射される光を、前記複数の撮像素子Ｓｉの並び方向と平行であり間隔がｖ／ｆであるラインＬ１ｊ（ｊ＝１、２、３、…）ごとに取得し、各ラインＬ１ｊにて取得した光を前記複数の撮像素子Ｓｉで受光して第１光量データＲ（ｉ，ｊ）を取得し、
前記画像形成手段は、前記第１光量データＲ（ｉ，ｊ）に基づいて、前記複数の撮像素子Ｓｉの並び方向と平行であり間隔がｄ×ｍであるラインＬ２ｋ（ｋ＝１、２、３、…）ごとに取得した場合に、各ラインＬ２ｋから取得した光を前記複数の撮像素子Ｓｉで受光した際に得られる第２光量データＰ（ｉ，ｋ）に変換し、前記第２光量データを画像データとして出力する光学測定装置。
【請求項１１】
前記撮像手段は、直前状の前記複数の撮像素子Ｓｉが複数列配置され、前記測定対象物からの光を分光して取得するハイパースペクトルセンサである請求項１０記載の光学測定装置。
【発明の詳細な説明】
【技術分野】
【０００１】
本発明は、測定対象物を撮像して画像データを出力する光学測定方法及び光学測定装置に関する。
【背景技術】
【０００２】
従来から、ベルトコンベア等の搬送手段により測定対象物を搬送させながら、当該測定対象物のハイパースペクトル画像を取得し、測定対象物に係る分析を行うことが知られている（例えば、特許文献１参照）。
【先行技術文献】
【特許文献】
【０００３】
【特許文献１】特開２０１２−１８９３９０号公報
【発明の概要】
【発明が解決しようとする課題】
【０００４】
しかしながら、搬送手段による測定対象物の搬送速度と、カメラのフレームレートと、が適切に対応していない場合、本来の測定対象物の形状に応じた画像を取得できない場合がある。
【０００５】
本発明は上記を鑑みてなされたものであり、測定対象物の形状に応じた画像を作成可能な光学測定方法及び光学測定装置を提供することを目的とする。
【課題を解決するための手段】
【０００６】
本願発明は、
（１）直線状に間隔ｄで並んだ複数の撮像素子Ｓｉ（ｉ＝１，２，…ｎ）を有し、倍率ｍであって、フレームレートがｆであるカメラにおける前記複数の撮像素子Ｓｉの並び方向と垂直方向に、前記カメラに対して相対速度ｖで移動する測定対象物を撮像し、前記測定対象物の画像データを出力する光学測定方法であって、
前記測定対象物から放射される光を、前記複数の撮像素子Ｓｉの並び方向と平行であり間隔がｖ／ｆであるラインＬ１ｊ（ｊ＝１、２、３、…）ごとに取得し、各ラインＬ１ｊにて取得した光を前記複数の撮像素子Ｓｉで受光して第１光量データＲ（ｉ，ｊ）を得る第１ステップと、
前記第１光量データＲ（ｉ，ｊ）に基づいて、前記複数の撮像素子Ｓｉの並び方向と平行であり間隔がｄ×ｍであるラインＬ２ｋ（ｋ＝１、２、３、…）ごとに取得した場合に、各ラインＬ２ｋから取得した光を前記複数の撮像素子Ｓｉで受光した際に得られる第２光量データＰ（ｉ，ｋ）に変換する第２ステップと、
前記第２光量データを画像データとして出力する第３ステップと、
を備える光学測定方法、
（２）直線状に間隔ｄで並んだ複数の撮像素子Ｓｉ（ｉ＝１，２，…ｎ）を有し、倍率ｍであって、フレームレートがｆであるカメラにおける前記複数の撮像素子Ｓｉの並び方向と垂直方向に、前記カメラに対して相対速度ｖで移動する測定対象物を撮像する撮像手段と、
前記撮像手段により撮像することにより取得された光量データに基づいて画像データを形成して出力する画像形成手段と、
を備える光学測定装置であって、
前記撮像手段は、前記測定対象物から放射される光を、前記複数の撮像素子Ｓｉの並び方向と平行であり間隔がｖ／ｆであるラインＬ１ｊ（ｊ＝１、２、３、…）ごとに取得し、各ラインＬ１ｊにて取得した光を前記複数の撮像素子Ｓｉで受光して第１光量データＲ（ｉ，ｊ）を取得し、
前記画像形成手段は、前記第１光量データＲ（ｉ，ｊ）に基づいて、前記複数の撮像素子Ｓｉの並び方向と平行であり間隔がｄ×ｍであるラインＬ２ｋ（ｋ＝１、２、３、…）ごとに取得した場合に、各ラインＬ２ｋから取得した光を前記複数の撮像素子Ｓｉで受光した際に得られる第２光量データＰ（ｉ，ｋ）に変換し、前記第２光量データを画像データとして出力する光学測定装置、
である。
【発明の効果】
【０００７】
本発明によれば、測定対象物の形状に応じた画像を作成可能な光学測定方法及び光学測定装置が提供される。
【図面の簡単な説明】
【０００８】
【図１】本発明の実施形態に係る光学測定装置の概略構成図である。
【図２】ハイパースペクトル画像について説明する図である。
【図３】本発明の実施形態に係る光学測定方法に係るフローチャートである。
【図４】ｄ×ｍ＜ｖ／ｆである場合の画像データについて説明する図である。
【図５】補完データの作成に係る第１の方法について説明する図である。
【図６】補完データの作成に係る第２の方法について説明する図である。
【図７】補完データの作成例を示す図である。
【図８】補完データの作成に係る第３の方法について説明する図である。
【図９】補完データの作成例を示す図である。
【図１０】ｄ×ｍ＞ｖ／ｆである場合の画像データについて説明する図である。
【図１１】第２光量データの作成方法について説明する図である。
【発明を実施するための形態】
【０００９】
［本願発明の実施形態の説明］
最初に本願発明の実施態様を列記して説明する。
【００１０】
本願の光学測定方法は、（１）直線状に間隔ｄで並んだ複数の撮像素子Ｓｉ（ｉ＝１，２，…ｎ）を有し、倍率ｍであって、フレームレートがｆであるカメラにおける前記複数の撮像素子Ｓｉの並び方向と垂直方向に、前記カメラに対して相対速度ｖで移動する測定対象物を撮像し、前記測定対象物の画像データを出力する光学測定方法であって、前記測定対象物から放射される光を、前記複数の撮像素子Ｓｉの並び方向と平行であり間隔がｖ／ｆであるラインＬ１ｊ（ｊ＝１、２、３、…）ごとに取得し、各ラインＬ１ｊにて取得した光を前記複数の撮像素子Ｓｉで受光して第１光量データＲ（ｉ，ｊ）を得る第１ステップと、前記第１光量データＲ（ｉ，ｊ）に基づいて、前記複数の撮像素子Ｓｉの並び方向と平行であり間隔がｄ×ｍであるラインＬ２ｋ（ｋ＝１、２、３、…）ごとに取得した場合に、各ラインＬ２ｋから取得した光を前記複数の撮像素子Ｓｉで受光した際に得られる第２光量データＰ（ｉ，ｋ）に変換する第２ステップと、前記第２光量データを画像データとして出力する第３ステップと、を備えることを特徴とする。
【００１１】
上記の光学測定方法によれば、ｖ／ｆの間隔で取得された第１光量データＲ（ｉ，ｊ）がｄ×ｍの間隔で取得されたと想定して作成される第２光量データＰ（ｉ，ｋ）に変換される。フレームレートｆと測定対象物の相対速度ｖによってｖ／ｆが決められるため、第１光量データをそのまま画像データとして出力する場合には、アスペクト比が１：１とならずに測定対象物の形状が乱れる場合があるが、変換後の第２光量データを利用して画像データを出力することにより、測定対象物の形状に対応した画像データを出力することが可能となる。
【００１２】
（２）また、本願発明は上述の（１）に記載の光学測定方法において、前記ｖ／ｆが前記ｄ×ｍよりも大きい場合に、前記第２ステップにおいて、前記複数の撮像素子Ｓｉにより前記第１光量データが取得されていない無データ領域の光量データを補完するための補完データを、当該無データ領域の近隣であって、前記測定対象物の移動方向に沿って当該無データ領域の前後の領域で取得された前記第１光量データの一部から生成する態様とすることができる。
【００１３】
上記の構成とすることで、ｖ／ｆがｄ×ｍよりも大きく、無データ領域が存在したとしても、近隣の第１光量データを利用して補完データを生成することができ、補完データを利用して測定対象物の形状に応じた第２光量データを生成することができる。
【００１４】
（３）また、本願発明は上述の（２）に記載の光学測定方法において、前記第２ステップにおいて、前記無データ領域の直前又は直後の領域で取得された前記第１光量データを前記補完データとする態様とすることができる。
【００１５】
上記のように、無データ領域の直前又は直後の領域で取得された第１光量データを補完データとすることにより、補完データを容易に生成することができる。
【００１６】
（４）また、本願発明は上述の（２）に記載の光学測定方法において、前記第２ステップにおいて、前記補完データを、前記無データ領域の直前及び直後の領域で取得された前記第１光量データを平均化して生成する態様とすることができる。
【００１７】
上記のように、無データ領域の直前及び直後の領域で取得された第１光量データを平均化して補完データを生成する構成とすることで、直前及び直後の領域の情報を反映した補完データを生成することが可能となり、補完データの精度が向上する。
【００１８】
（５）また、本願発明は上述の（２）に記載の光学測定方法において、前記第２ステップにおいて、前記補完データを、前記無データ領域の直前及び直後の領域で取得された前記第１光量データに対して所定の重み付け処理を行って生成する態様とすることができる。
【００１９】
上記のように、重み付け処理を行って補完データを生成することで、測定対象物を分析の目的等に応じて、分析精度が向上させることが可能な補完データを生成することができる。
【００２０】
（６）また、本願発明は上述の（１）に記載の光学測定方法において、前記ｖ／ｆが前記ｄ×ｍよりも小さい場合に、前記第２ステップにおいて、複数の前記第１光量データから前記第２光量データを生成する態様とすることができる。
【００２１】
上記のように、ｖ／ｆがｄ×ｍよりも小さい場合に、複数の第１光量データから第２光量データを生成する構成とすることで、測定対象物の形状に応じ、且つ、測定対象物から得られる情報が反映された第２光量データを生成することができる。
【００２２】
（７）また、本願発明は上述の（６）に記載の光学測定方法において、前記第２ステップにおいて、複数の前記第１光量データを平均化して前記第２光量データを生成する態様とすることができる。
【００２３】
上記のように、複数の第１光量データを平均化する構成とすることで、Ｓ／Ｎ比が改善された第２光量データを生成することが可能となる。
【００２４】
（８）また、本願発明は上述の（６）に記載の光学測定方法において、前記第２ステップにおいて、複数の前記第１光量データに対して所定の重み付け処理を行って前記第２光量データを生成する態様とすることができる。
【００２５】
上記のように、複数の第１光量データに対して重み付け処理を行って第２光量データを生成することで、測定対象物を分析の目的等に応じて、分析精度が向上させることが可能な第２光量データを生成することができる。
【００２６】
（９）また、本願発明は上述の（６）に記載の光学測定方法において、前記第２ステップにおいて、前記第２光量データの特定のデータの生成に用いる複数の前記第１光量データは、前記特定のデータにおいて光を受光する対象となる領域の少なくとも一部からの光を受光したデータである態様とすることができる。
【００２７】
特定のデータにおいて光を受光する対象となる領域の少なくとも一部からの光を受光した第１光量データを利用して、特定のデータを生成する構成とすることで、空間分解能の低下を抑制しつつ、Ｓ／Ｎ比が改善された第２光量データを生成することが可能となる。
【００２８】
本願の光学測定装置は、（１０）直線状に間隔ｄで並んだ複数の撮像素子Ｓｉ（ｉ＝１，２，…ｎ）を有し、倍率ｍであって、フレームレートがｆであるカメラにおける前記複数の撮像素子Ｓｉの並び方向と垂直方向に、前記カメラに対して相対速度ｖで移動する測定対象物を撮像する撮像手段と、前記撮像手段により撮像することにより取得された前記光量データに基づいて画像データを形成して出力する画像形成手段と、を備える光学測定装置であって、前記撮像手段は、前記測定対象物から放射される光を、前記複数の撮像素子Ｓｉの並び方向と平行であり間隔がｖ／ｆであるラインＬ１ｊ（ｊ＝１、２、３、…）ごとに取得し、各ラインＬ１ｊにて取得した光を前記複数の撮像素子Ｓｉで受光して第１光量データＲ（ｉ，ｊ）を取得し、前記画像形成手段は、前記第１光量データＲ（ｉ，ｊ）に基づいて、前記複数の撮像素子Ｓｉの並び方向と平行であり間隔がｄ×ｍであるラインＬ２ｋ（ｋ＝１、２、３、…）ごとに取得した場合に、各ラインＬ２ｋから取得した光を前記複数の撮像素子Ｓｉで受光した際に得られる第２光量データＰ（ｉ，ｋ）に変換し、前記第２光量データを画像データとして出力することを特徴とする。
【００２９】
上記の光学測定装置によれば、ｖ／ｆの間隔で取得された第１光量データＲ（ｉ，ｊ）がｄ×ｍの間隔で取得されたと想定して作成される第２光量データＰ（ｉ，ｋ）に変換される。フレームレートｆと測定対象物の相対速度ｖによってｖ／ｆが決められるため、第１光量データを画像データとしてそのまま出力する場合には、アスペクト比が１：１とならずに測定対象物の形状が乱れる場合があるが、変換後の第２光量データを利用して画像データを出力することにより、測定対象物の形状に対応した画像データを出力することが可能となる。
【００３０】
（１１）また、本願発明は上述の（１０）に記載の光学測定装置において、前記撮像手段は、直前状の前記複数の撮像素子Ｓｉが複数列配置され、前記測定対象物からの光を分光して取得するハイパースペクトルセンサである態様とすることができる。
【００３１】
上記のように、光学測定装置がハイパースペクトルセンサを含んだ構成である場合、測定対象物の形状に対応した画像データを生成することで、ユーザは、測定対象物の位置に応じたスペクトル情報を取得することが可能となる。
【００３２】
［本願発明の実施形態の詳細］
本発明に係る光学測定方法及び光学測定装置の具体例を、以下に図面を参照しつつ説明する。なお、本発明はこれらの例示に限定されるものではなく、特許請求の範囲によって示され、特許請求の範囲と均等の意味及び範囲内での全ての変更が含まれることが意図される。
【００３３】
本実施形態に係る光学測定装置１００について図１を用いて説明する。光学測定装置１００は、測定台２上に載置されて、所定の方向に搬送される測定対象物３を撮像する装置とすることができる。このような光学測定装置１００は、例えば、測定対象物３の検査等に用いられる。光学測定装置１００の測定対象物３は特に限定されない。
【００３４】
光学測定装置１００は、近赤外光である測定光を搬送手段により搬送される測定対象物３に対して照射することにより得られる拡散反射光のスペクトルを測定し、そのスペクトルに基づいて測定対象物３の光学測定を行う。このため、光学測定装置１００は、光源部１０、撮像部２０（撮像手段）、及び、制御部３０（画像再構成手段）を備える。なお、以下の実施形態では近赤外光を光学測定に使用する場合について説明するが、他の波長範囲の光を測定に用いてもよい。また、拡散反射光のスペクトルに替えて透過光のスペクトルを測定してもよい。
【００３５】
本実施形態で説明する光学測定装置１００では、測定台２が例えばコンベア、シューター、リフト等の搬送手段により構成され、測定台２上の測定対象物３が搬送方向（ｙ軸方向）に移動する場合に、搬送方向に対して垂直な方向（ｘ軸方向）に視野領域２０ｓを有する撮像部２０により、撮像を行う。
【００３６】
光源部１０は、近赤外光である測定光を、測定台２上における所定の照射領域Ｒ１へ向けて照射する。光源部１０が照射する測定光の波長範囲は、測定対象物３によって適宜選択される。測定光としては、具体的には、波長範囲が８００ｎｍ〜２５００ｎｍの光が好適に用いられ、特に１０００ｎｍ〜２３００ｎｍの光が好適に用いられる。なお、本実施形態では、ハロゲンランプからなる光源１１を含む光源部１０について説明する。
【００３７】
照射領域Ｒ１とは、測定対象物３を載置する測定台２の表面の一部の領域である。この照射領域Ｒ１は、測定台２の一の方向（図１のｘ軸方向）に広がるライン状に延びる領域である。
【００３８】
光源部１０は、光源１１と、照射部１２と、光源１１と照射部１２とを接続する光ファイバ１３と、を備える。光源１１は、近赤外光を発生させる。
【００３９】
光源１１により発生された近赤外光は、光ファイバ１３の一方の端面へ入射される。この近赤外光は、光ファイバ１３のコア領域を導波し、もう一方の端面から照射部１２に対して出射される。
【００４０】
照射部１２は、光ファイバ１３の端面から出射される近赤外光を測定対象物３が載置される照射領域Ｒ１に対して照射する。照射部１２は、光ファイバ１３から出射される近赤外光を入射して、照射領域Ｒ１に対応した１次元のライン状に出射するため、照射部１２としてシリンドリカルレンズが好適に用いられる。このように照射部１２においてライン状に整形された近赤外光ＬＴ１が、照射部１２から照射領域Ｒ１に対して照射される。
【００４１】
光源部１０から出力された近赤外光ＬＴ１は、照射領域Ｒ１上に載置された測定対象物３により拡散反射される。そして、その一部が、拡散反射光ＬＴ２として撮像部２０に入射する。なお、光源部１０の構成は、上記の構成に限定されるものではない。
【００４２】
撮像部２０は、２次元に配置されたセンサによってハイパースペクトル画像を取得する所謂ハイパースペクトルセンサとしての機能を有する。ここで、本実施形態におけるハイパースペクトル画像について図２を用いて説明する。図２は、ハイパースペクトル画像についてその概略を説明する図である。図２に示すように、ハイパースペクトル画像とは、Ｎ個の画素Ｐ１〜ＰＮにより構成されている画像である。図２ではそのうちの一例として２個の画素Ｐｎ及びＰｍについて具体的に示している。画素Ｐｎ及びＰｍには、それぞれ複数の強度データからなるスペクトル情報Ｓｎ及びＳｍが含まれている。この強度データとは、特定の波長（又は波長帯域）におけるスペクトル強度を示すデータであり、図２では、１５個の強度データがスペクトル情報Ｓｎ及びＳｍとして保持されていて、これらを重ね合わせた状態で示している。このように、ハイパースペクトル画像Ｈは、画像を構成する画素毎に、それぞれ複数の強度データを持つという特徴から、画像としての二次元的要素と、スペクトルデータとしての要素をあわせ持った三次元的構成のデータである。なお、本実施形態では、ハイパースペクトル画像Ｈとは、１画素あたり少なくとも５つの波長帯域における強度データを保有している画像のことをいう。
【００４３】
図２では測定対象物３もあわせて示している。すなわち、図２においてＰｎは測定対象物３を撮像した測定対象物上の画素であり、Ｐｍは背景（例えば、測定台２）上の画素である。このように、撮像部２０では、測定対象物３だけでなく背景を撮像した画像も取得される。
【００４４】
図１に戻り、本実施形態に係る撮像部２０は、カメラレンズ２４と、スリット２１と、分光器２２と、受光部２３と、を備える。この撮像部２０の視野領域２０ｓ（撮像領域）は、測定台２上で照射領域Ｒ１と同じ方向（ｘ軸方向）が長手方向となるように延びている。視野領域２０ｓは、測定台２上の照射領域Ｒ１に含まれるライン状の領域であって、ここからの拡散反射光ＬＴ２がスリット２１を通過して受光部２３上に像を結ぶ領域である。
【００４５】
スリット２１は、照射領域Ｒ１の延在方向（ｘ軸方向）と平行な方向に開口が設けられる。撮像部２０のスリット２１に入射した拡散反射光ＬＴ２は、分光器２２へ入射する。
【００４６】
分光器２２は、スリット２１の長手方向、すなわち照射領域Ｒ１の延在方向に垂直な方向（ｙ軸方向）に拡散反射光ＬＴ２を分光する。分光器２２により分光された光は、受光部２３によって受光される。
【００４７】
受光部２３は、複数の受光素子が２次元に配列された受光面を備え、各受光素子が光を受光する。これにより、受光部２３が測定台２上の照射領域Ｒ１の延在方向（ｘ軸方向）に沿った各画素で反射した拡散反射光ＬＴ２の各波長の光をそれぞれ受光することとなる。このように、撮像部２０は所謂ライン型のハイパースペクトルカメラにおける撮像手段として機能する。
【００４８】
各受光素子は、受光した光の強度に応じた信号を位置と波長とからなる二次元平面状の一点に関する情報として出力する。この受光部２３の受光素子から出力される信号が、ハイパースペクトル画像に係る画素毎のスペクトルデータとして、撮像部２０から制御部３０に送られる。
【００４９】
なお、撮像部２０における撮像間隔（フレームレート）は、可変であることが好ましい。すなわち、ハイパースペクトルセンサとして、複数種類のフレームレートから選択して設定するものを用いることが好ましい。
【００５０】
制御部３０は、画素毎のスペクトルデータを取得して、これに基づいて、ハイパースペクトル画像Ｈを形成して出力する機能を有する。すなわち、ハイパースペクトルカメラにおける画像形成手段として機能する。
【００５１】
制御部３０は、ＣＰＵ（Central  Processing  Unit）、主記憶装置であるＲＡＭ（Random  Access  Memory）やＲＯＭ（Read  Only  Memory）、撮像部２０等の他の機器との間の通信を行う通信モジュール、並びにハードディスク等の補助記憶装置等のハードウェアを備えるコンピュータとして構成される。そして、これらの構成要素が動作することにより、制御部３０としての機能が発揮される。
【００５２】
上記の光学測定装置１００は、一度の撮像によって（１フレームごとに）、視野領域２０ｓの延在方向（ｘ軸方向）に沿って所謂１次元のスペクトル画像を取得することができる。撮像した画像１フレームには、視野幅方向の位置情報に加えて、分光器２２により各位置の分光スペクトルが格納される。ただし、光学測定装置１００から出力されるハイパースペクトル画像Ｈとは、１フレームごとに各画素によって取得された分光スペクトルをそのまま組み合わせたものではなく、制御部３０において、再構成されたデータである。この点は、従来の光学測定装置と異なる点である。
【００５３】
光学測定装置１００における光学測定方法について、図３を参照しながら説明する。ここでは、光学測定装置１００の撮像部２０では、受光部２３において、ｘ軸方向にｎ個の撮像素子が間隔ｄで並んでいて、各撮像素子をＳｉ（ｉ＝１，２，…ｎ）で表す。撮像素子の間隔ｄとは、隣接する画素間の距離をいう。また、ｘ軸方向において、視野領域２０ｓの大きさ（長さ）に対する、受光部２３における撮像素子が配列される領域の大きさ（長さ）を倍率ｍとする。また、撮像部２０におけるフレームレート（単位時間あたりに撮像する回数）をｆとする。さらに、搬送手段による測定対象物３の搬送速度（撮像部２０に対する測定対象物３の相対移動速度）をｖとする。
【００５４】
まず、光源部１０から測定対象物３に対して測定光を照射することにより測定対象物３から放射される光を取得する（Ｓ０１：第１ステップ）。このとき、測定対象物３から放射される光は、搬送速度ｖとフレームレートｆとに基づいて、測定対象物３がｙ軸方向にｖ／ｆだけ移動する毎に撮像される。したがって、このとき撮像部２０で取得される情報とは、ｘ軸方向に延びると共に、互いに距離ｖ／ｆずつ離間しているラインＬ１ｊ（ｊ＝１，２，３…）に係る光量データ（本実施形態ではスペクトルデータ）である。これを第１光量データＲ（ｉ，ｊ）とする。
【００５５】
次に、第１光量データＲ（ｉ，ｊ）を、第２光量データＰ（ｉ，ｋ）に変換する（Ｓ０２：第２ステップ）。具体的には、複数の撮像素子Ｓｉの並び方向と平行であり間隔がｄ×ｍであるラインＬ２ｋ（ｋ＝１、２、３、…）ごとに取得し、各ラインＬ２ｋから取得した光を複数の撮像素子Ｓｉで受光した場合に得られる第２光量データＰ（ｉ，ｋ）に変換する。ｄ×ｍとは、ｘ軸方向の撮像素子同士の間隔ｄと倍率ｍとの積であり、視野領域における光量データの取得間隔である。すなわち、第２光量データＰ（ｉ，ｋ）に変換することで、撮像素子Ｓｉの配列方向（ｘ軸方向）における光量データの取得間隔に対する搬送方向（ｙ軸方向）における光量データの間隔が等しくなるように、光量データを変換する。この点は後述する。
【００５６】
その後、第２光量データＰ（ｉ，ｋ）を画像データとして出力する（Ｓ０３：第３ステップ）。以上により、光学測定装置１００における光学測定方法が終了する。
【００５７】
従来の光学測定装置では、第１光量データＲ（ｉ，ｊ）を画像データとして出力することが一般的である。この場合、画像データが歪む（ｘ軸方向とｙ軸方向との比が１：１ではなくなる）ことを防ぐために、撮像素子Ｓｉの配列方向（ｘ軸方向）における光量データの取得間隔（ｄ×ｍ）と、搬送方向（ｙ軸方向）における光量データの取得間隔とが一致するように、フレームレート及び搬送速度ｖが調整されていた。すなわち、「ｄ×ｍ＝ｖ／ｆ」という関係を満たすように、各パラメータの調整ができていれば、第１光量データＲ（ｉ，ｊ）を画像データとして出力したとしても、画像データが歪むことはなかった。しかしながら、フレームレートｆの調整には限界がある。特に、搬送速度ｖを大きくした場合、「ｄ×ｍ＝ｖ／ｆ」を満たすためには、フレームレートｆを大きくする必要があるが、カメラによっては、所望のフレームレートに対応することが困難であった。ｄ×ｍとｖ／ｆとが一致しない場合であっても、各撮像素子で取得されたデータはｘ軸に沿う光量データの取得間隔とｙ軸に沿う光量取得間隔とが等しいものとして出力されるため、画像データに歪みが生じる。
【００５８】
この点について、具体的に図４を参照しながら説明する。図４では、「ｄ×ｍ＜ｖ／ｆ」である場合について説明している。また、図４（Ａ）及び図４（Ｂ）では、視野領域２０ｓにおいて、各撮像素子よって光量データが取得される領域を模式的にセルとして示している。
【００５９】
搬送方向がｙ軸方向であり、複数の撮像素子Ｓ１〜Ｓ１２がｘ軸方向に沿って配列しているとする。受光部２３において、間隔ｄずつ離間して配置された撮像素子Ｓ１〜Ｓ１２は、視野領域２０ｓにおいて間隔ｄ×倍率ｍだけ離間した領域の情報をそれぞれ取得する。したがって、撮像素子１つにより取得される情報は、間隔ｄ×倍率ｍで示されるセル内の光量データである。この撮像素子Ｓ１〜Ｓ１２によって、ラインＬ１１，Ｌ１２，Ｌ１３における光量データを取得したとする。ラインＬ１１，Ｌ１２，Ｌ１３の間隔は、ｖ／ｆによって求められる。このように、ｖ／ｆにより決められた間隔で取得された光量データが第１光量データＲ（ｉ，ｊ）となる。
【００６０】
ここで、ｄ×ｍ＜ｖ／ｆであると、ラインＬ１１，Ｌ１２，Ｌ１３の隣接するライン間に、撮像素子によって光量データが取得されていない領域が生じる。このような領域を無データ領域という。
【００６１】
次に、受光部２３において取得された光量データを画像データとして出力する場合には、各撮像素子によって取得された光量データを、撮像素子が一辺ｄ×ｍのセル状の領域の光量データを取得しているものとして配置して出力する。この結果、撮像素子によって光量データが取得されていない領域（無データ領域）は存在しないものとして処理され、図４（Ｂ）に示すように、ラインＬ１１，Ｌ１２，Ｌ１３で取得された光量データが隣接配置された状態で画像データとして出力される。この結果、測定対象物３の形状が圧縮された状態の画像データが出力されてしまうことが考えられる。
【００６２】
そこで、本実施形態に係る光学測定装置１００では、第１光量データＲ（ｉ，ｊ）を変換して、第２光量データＰ（ｉ，ｋ）を生成する。この第２光量データは、複数の撮像素子Ｓｉの並び方向と平行であり間隔がｄ×ｍであるラインＬ２ｋ（ｋ＝１、２、３、…）ごとに取得した光を複数の撮像素子Ｓｉで受光した場合に得られる光量データである。すなわち、第２光量データＰ（ｉ，ｋ）は、ラインＬ１１，Ｌ１２，Ｌ１３のように隣接するライン間に光量データが取得されていない領域が形成された場合ではなく、全ての領域の光量データを撮像素子Ｓｉにより取得した場合を仮定した場合の光量データである。
【００６３】
このような第２光量データＰ（ｉ，ｋ）を、第１光量データＲ（ｉ，ｊ）から変換して生成する場合には、第１光量データＲ（ｉ，ｊ）を取得する際に光量データが取得されていない領域の光量データを補完する必要がある。そこで、光量データの補完方法について説明する。具体的には、第１光量データＲ（ｉ，ｊ）を用いて補完を行う。
【００６４】
まず、第１の方法としては、隙間の領域の光量データを、隣接するラインで取得されたデータをそのまま補完データとして挿入することで補完する方法が挙げられる。具体的には、図５に示すように、ラインＬ１１における撮像素子Ｓ１の取得した光量データがＡであり、ラインＬ１２における撮像素子Ｓ１の取得した光量データがＢであるとすると、隙間の領域の光量データを直前のデータＡ又は直後のデータＢにより補完する。図５では、前段の光量データＡを補完データとして用いた場合を示している。このように、第１の方法は、前後の何れかの光量データを用いて、第１光量データＲ（ｉ，ｊ）を取得する際には取得されなかった領域の光量データを補完した上で、第２光量データＰ（ｉ，ｋ）に変換する方法である。
【００６５】
次に、第２の方法としては、隙間の領域の光量データを、隣接するラインで取得されたデータの補完データを用いて補完する方法が挙げられる。具体的には、図６に示すように、ラインＬ１１における撮像素子Ｓ１の取得した光量データがＡであり、ラインＬ１２における撮像素子Ｓ１の取得した光量データがＢであるとすると、隙間の領域の光量データをデータＡとデータＢとの平均値を求めることにより得られた補完データＡ’により補完する。このように、第２の方法は、前後の光量データの平均値による補完データを算出した後に、第１光量データＲ（ｉ，ｊ）を取得する際には取得されなかった領域の光量データを補完した上で、第２光量データＰ（ｉ，ｋ）に変換する方法である。
【００６６】
なお、ハイパースペクトルデータの場合、光量データとはスペクトルデータであるので、平均化して得られる補完データとは、各波長における光強度の情報の平均値を算出した後にこれらを組み合わせたものである。補完データの作成例を図７に示す。
【００６７】
図７に示すグラフは、ウレタンアクリレート系樹脂であるＤＹＭＡＸ（ダイマックス社製）をガラス基板上に塗布し、紫外線を照射することにより硬化させた場合における硬化前後の近赤外波長における吸光度スペクトルである。また、図７では、硬化前後のスペクトルの平均値を算出して得られる中間データも併せて示している。第２の方法では、例えば、光量データＡが未硬化のスペクトルデータであり、光量データＢが硬化後のスペクトルデータであるとすると、補完データＡ’として、平均値に基づく中間データを利用する。なお、硬化前後のスペクトルデータは、ＳＮＶ処理（Standard  Normal  Variate）を行ったものであり、処理後のデータを用いて中間データを算出している。
【００６８】
なお、平均値の算出に際しては、反射率、透過率又は拡散反射率に対して平均値を求める構成としてもよいし、吸光度に対して平均値を求める構成としてもよい。また、ＳＮＶ処理を始めとするスペクトルデータに係る前処理を行った後に、平均値を求める構成としてもよい。また、必要があれば、第２光量データＰ（ｉ，ｋ）を求める際に第１光量データＲ（ｉ，ｊ）以外の隣接画素の第１光量データＲ（ｉ−１，ｊ）、Ｒ（ｉ＋１，ｊ）を用いてもよい。例えば、第１光量データＲ（ｉ，ｊ）が明らかに特異的な異常値を示した場合に、第１光量データＲ（ｉ−１，ｊ）、Ｒ（ｉ＋１，ｊ）の平均値を用いるなどの工夫も可能である。
【００６９】
次に、第３の方法としては、隙間の領域の光量データを、隣接するラインで取得されたデータだけではなく、近隣の光量データも利用して補完する方法が挙げられる。具体的には、図８に示すように、ラインＬ１１における撮像素子Ｓ１の取得した光量データがＡであり、ラインＬ１２における撮像素子Ｓ１の取得した光量データがＢであり、ラインＬ１３における撮像素子Ｓ１の取得した光量データがＣであるとすると、隙間の領域の光量データＡ’を光量データＡと光量データＢとから算出する際に、光量データＣを考慮した重み付けを行う。この場合、どのデータをどれくらい利用するか、すなわち、光量データＡ，Ｂの重み付けを検討した上で、光量データＡ’を算出することができる。
【００７０】
重み付けの方法は、適宜変更することができる。ここで、光量データがハイパースペクトルデータである場合、光量データＡ，Ｂ，Ｃのスペクトルデータをそれぞれａ（λ），ｂ（λ），ｃ（λ）とし、光量データＡ’のスペクトルデータをｆ（λ）とすると、重み付けを反映したスペクトルデータｆ（λ）の算出式としては、例えば以下の数式が挙げられる。なお、ｐ，ｑは定数である。
ｆ（λ）＝｛ｐ×ａ（λ）＋ｑ×ｂ（λ）｝／（ｐ＋ｑ）…（１）
【００７１】
ここで、光量データＡと光量データＣとがほぼ同じであり、光量データＢはこれらとは異なるとすると、特異点、すなわち、光量データＢのような領域をより検出したい場合には、数式（１）においてｐ＜ｑとすればよい。また、例えば特異点は誤検出である可能性がある等の理由により、特異点の検出を減らしたい場合には、ｐ＞ｑとすればよい。このように、重み付けの方法は適宜変更することができる。
【００７２】
図９に示すグラフは、図７に示した硬化前後のウレタンアクリレート系樹脂に係る近赤外波長における吸光度スペクトルと、ｐ＝３、ｑ＝１を数式（１）に代入して算出された補完データＡ’に係るスペクトルデータとを示したものである。このようにして得られるスペクトルデータを補完データＡ’として用いることができる。
【００７３】
なお、上記の数式（１）は、最も簡便な重み付け方法であり、他の方法により重み付けを行うこともできる。例えば、光量データがハイパースペクトルデータである場合には、波長要素レベルでの重み付けを行うことができる。
【００７４】
上記の数式（１）は、スペクトル全体に対して共通する定数ｐ，ｑを用いることを示すものであるが、波長毎に独立した定数を用いることもできる。この場合、波長λｉをｉ番目の波長としたとき、以下の数式（２）により、重み付けを行うことができる。
ｆ（λｉ）＝｛ｐ（λｉ）×ａ（λｉ）＋ｑ（λｉ）×ｂ（λｉ）｝／｛ｐ（λｉ）＋ｑ（λｉ）｝…（２）
【００７５】
数式（２）を用いる場合、例えば、測定対象物において吸収係数が高い波長等、測定に好適に用いることができる波長が分かっている場合に、この波長成分を強調するようにｐ，ｑを設定することもできるため、スペクトル形状の変化等をより効率よく検出することが可能となる。
【００７６】
なお、第２の方法と同様に、反射率、透過率又は拡散反射率を用いて補完データを算出する構成としてもよいし、吸光度に対して重み付けを行うことで補完データを算出する構成としてもよい。また、ＳＮＶ処理を始めとするスペクトルデータに係る前処理を行った後に、補完データを算出する構成としてもよい。
【００７７】
次に、「ｄ×ｍ＞ｖ／ｆ」である場合について説明する。これまでは、「ｄ×ｍ＜ｖ／ｆ」である場合、すなわち、ラインＬ１１，Ｌ１２，Ｌ１３の隣接するライン間に、撮像素子によって光量データが取得されていない領域が生じる場合について、これを補完する方法について説明した。しかしながら、「ｄ×ｍ＞ｖ／ｆ」となる場合もある。具体的には、「ｄ×ｍ＝ｖ／ｆ」を満たすためには、フレームレートｆが小さい場合に、搬送速度ｖを遅く制御することが困難である場合等が挙げられる。このような場合でも、ｄ×ｍとｖ／ｆとが一致せず、画像データに歪みが生じる。
【００７８】
この点について、具体的に図１０を参照しながら説明する。図１０では、「ｄ×ｍ＞ｖ／ｆ」である場合について説明している。また、図１０（Ａ）及び図１０（Ｂ）では、視野領域２０ｓにおいて、各撮像素子よって光量データが取得される領域を模式的にセルとして示している。
【００７９】
搬送方向がｙ軸方向であり、複数の撮像素子Ｓ１〜Ｓ１２がｘ軸方向に沿って配列しているとする。受光部２３において、間隔ｄずつ離間して配置された撮像素子Ｓ１〜Ｓ１２は、間隔ｄ×倍率ｍだけ離間した領域の情報をそれぞれ取得する。したがって、撮像素子１つにより取得される情報は、視野領域２０ｓにおいて間隔ｄ×倍率ｍで示されるセル内の光量データである。この撮像素子Ｓ１〜Ｓ１２によって、ラインＬ１１，Ｌ１２，Ｌ１３における光量データを取得したとする。ラインＬ１１，Ｌ１２，Ｌ１３の間隔は、ｖ／ｆによって求められる。このように、ｖ／ｆにより決められた間隔で取得された光量データが第１光量データＲ（ｉ，ｊ）となる。
【００８０】
ここで、ｄ×ｍ＞ｖ／ｆであると、ラインＬ１１，Ｌ１２，Ｌ１３において、互いに重複する部分が生じる。したがって、例えば、ラインＬ１１とラインＬ１２とが重なる部分では、撮像素子により２回撮像される。
【００８１】
次に、受光部２３において取得された光量データを画像データとして出力する場合には、各撮像素子によって取得された光量データを、撮像素子が一辺ｄ×ｍのセル状の領域を取得しているものとして配置して出力する。この結果、撮像素子によって複数回光量データが取得されている領域についても考慮されることなく処理され、図１０（Ｂ）に示すように、ラインＬ１１，Ｌ１２，Ｌ１３で取得された光量データが隣接配置された状態で画像データとして出力される。この結果、測定対象物３の形状がｙ軸方向に引き伸ばされた状態の画像データが出力されてしまうことが考えられる。
【００８２】
そこで、本実施形態に係る光学測定装置１００では、第１光量データＲ（ｉ，ｊ）を変換して、第２光量データＰ（ｉ，ｋ）を生成する。この第２光量データは、複数の撮像素子Ｓｉの並び方向と平行であり間隔がｄ×ｍであるラインＬ２ｋ（ｋ＝１、２、３、…）ごとに取得した光を複数の撮像素子Ｓｉで受光した場合に得られる光量データである。すなわち、第２光量データＰ（ｉ，ｋ）は、ラインＬ１１，Ｌ１２，Ｌ１３のように光量データが複数回取得された領域が形成された場合ではなく、全ての領域の光量データを撮像素子Ｓｉにより１回ずつ取得した場合を仮定した場合の光量データである。
【００８３】
このような第２光量データＰ（ｉ，ｋ）を、第１光量データＲ（ｉ，ｊ）から変換して生成する場合には、第１光量データＲ（ｉ，ｊ）を取得する際に光量データが重複されて取得された領域の光量データに係る処理を行う必要がある。そこで、光量データの処理方法について図１１を参照しながら、説明する。
【００８４】
図１１に示すように、撮像素子Ｓ１においてラインＬ１１〜Ｌ１６において取得した光量データＲ（１，１）〜Ｒ（１．６）があるとする。光量データＲ（１，１）〜Ｒ（１．６）は、時間軸に沿って見ると、図１１（Ａ）に示すように、時間の経過に伴って繰り返して撮像されているものであるともいえる。
【００８５】
ここで、図１１（Ｂ）に示すように、第２光量データにおけるＰ（１，１）と重なる第１光量データはＲ（１，１）〜（１，３）であり、第２光量データにおけるＰ（１，２）と重なる第１光量データはＲ（１，４）〜（１，６）であるとする。すなわち、第２光量データＰ（１，１）に対応する領域の少なくとも一部を撮像した第１光量データが３つ存在する。これは、第１光量データＲ（ｉ，ｊ）が「ｄ×ｍ＞ｖ／ｆ」の条件で取得されているからである。
【００８６】
そこで、第２光量データＰ（１，１）を求める際には、第１光量データはＲ（１，１）〜（１，３）の光量データの平均値を算出し、これを第２光量データＰ（１，１）とする方法を用いることができる。複数の第１光量データを用いて第２光量データを算出する際に、これらを平均化処理することで、第１光量データＲ（ｉ，ｊ）に含まれる情報を第２光量データＰ（ｉ，ｋ）に好適に反映することができる。
【００８７】
また、平均化処理を行った後の光量データを画像データの出力に用いることで、Ｓ／Ｎを大幅に改善することができる。撮像部２０と測定対象物の位置関係が変わらない状態で、連続撮影をした場合に、撮像して得られた複数の画像データの平均値を算出すると、Ｓ／Ｎ比が大幅に改善する。本実施形態に係る光学測定装置１００では、撮像部２０に対して測定対象物３が移動しながら撮像をしているので、平均値を利用することによるＳ／Ｎ比の改善効果は、撮像部２０と測定対象物の位置関係が変わらない状態と比べると小さくなると考えられる。しかしながら、空間分解能（１画素で撮像できる領域の大きさ）に対して、測定対象物３の変化が小さい（隣接する領域の光量データが劇的に変化することが少ない）場合には、複数の光量データを平均化することによるＳ／Ｎ比の改善効果が十分得られると考えられる。
【００８８】
撮像部２０に対して測定対象物３の移動が十分に遅いためにｄ×ｍ＞ｖ／ｆの関係となり、ラインＬ１ｊ（ｊ＝１，２，３…）において互いに重複する部分が生じている場合、従来は、互いに重ならないラインの光量データのみを選択して割り当てることで画像データを形成していた。このため、撮像部２０にて取得された光量データの一部しか出力する画像データの形成に使用されていなかった。これに対して、本実施形態に係る光学測定装置１００では、上記のように第２光量データＰ（ｉ，ｋ）に対応する複数の第１光量データＲ（ｉ，ｊ）を平均化することにより、測定対象物３の形状に対応した画像データが出力可能となるだけでなく、従来は画像データの形成に使用されていなかった光量データも利用することにより、Ｓ／Ｎ比を改善した上での画像データの出力が可能となる。
【００８９】
なお、第２光量データＰ（ｉ，ｋ）を生成するために平均化を行う際に、平均化の対象となる画素（ｉ，ｋ）に最も近い場所の第１光量データの寄与度を高め、離れた場所の第１光量データを相対的に低くした重み付け処理を施すと、より真値に近い値の獲得が期待できる。具体的には、図１１（Ｂ）では、第２光量データＰ（１，１）の算出に用いる対象となる第１光量データＲ（１，１）〜（１，３）のうち、第１光量データＲ（１，２）を取得した領域が最も第２光量データＰ（１．１）となる領域と重なっているので、第１光量データＲ（１，２）の寄与度が高まるような重み付け処理を行うとよい。
【００９０】
また、上記では、第２光量データＰ（ｉ，ｋ）を取得する領域に重なる領域の第１光量データ（ｉ，ｊ）を平均化の対象としているが、平均化の対象とする第１光量データの設定は、適宜変更することができる。ただし、第２光量データＰ（ｉ，ｋ）を取得する領域に対して、１画素分（図１１におけるセル１つ）の領域以上離れていないことが望ましい。１画素分以上離れている第１光量データを平均化の対象とすると、平均化した場合の空間分解能が低下する。また、第１光量データを平均化するによる精度改善効果も小さくなる。したがって、実効的に適用効果が薄れることが考えられる。
【００９１】
以上のように、本実施形態に係る光学測定方法及び光学測定装置１００によれば、ｖ／ｆの間隔で取得された第１光量データＲ（ｉ，ｊ）をｄ×ｍの間隔で取得されたと想定して作成される第２光量データＰ（ｉ，ｋ）に変換される。フレームレートｆと測定対象物の相対速度ｖによってｖ／ｆが決められるため、第１光量データを画像データとして出力する場合には、アスペクト比が１：１とならずに測定対象物の形状が乱れる場合があるが、変換後の第２光量データを利用して画像データを出力することにより、測定対象物の形状に対応した画像データを出力することが可能となる。
【００９２】
以上、本発明の実施形態について説明してきたが、本発明は上述した実施形態に限定されるものではなく、その要旨を逸脱しない範囲で様々な変更が可能である。
【００９３】
例えば、上記実施形態では、光学測定装置１００がハイパースペクトルセンサを備えた構成である場合について説明しているが、ハイパースペクトルセンサを備えている必要はなく、少なくとも一波長の光の強度情報を取得する構成であればよい。その場合、撮像部２０の構成は適宜変更することができる。ただし、光学測定装置１００がハイパースペクトルセンサを備えている場合に、第１光量データを第２光量データに変換して画像データとして出力する本発明の構成を適用することは、特に有用である。これは、測定対象物３の各位置に対応したスペクトル情報を測定対象物３の形状に応じて正確に把握することができるためである。
【００９４】
また、上記実施形態では、第１光量データから第２光量データを生成する方法について説明したが、上記実施形態とは異なる方法により第２光量データを生成する構成としてもよい。
【符号の説明】
【００９５】
１００…光学測定装置、３…測定対象物、１０…光源部、２０…撮像部、２１…スリット、２２…分光器、２３…受光部、３０…制御部。
【図１】
2016166760.tif 000003
【図２】
2016166760.tif 000004
【図３】
2016166760.tif 000005
【図４】
2016166760.tif 000006
【図５】
2016166760.tif 000007
【図６】
2016166760.tif 000008
【図７】
2016166760.tif 000009
【図８】
2016166760.tif 000010
【図９】
2016166760.tif 000011
【図１０】
2016166760.tif 000012
【図１１】
2016166760.tif 000013